(57)【要約】【目的】遊技盤前面の遊技領域内に設定する入賞域に、一旦受入れた打球を再び放出したり、前記入賞域を落下する打球を取入れたりする放出兼飛込み口を設けて打球の出入りを通して入賞の変化を楽しむようにしたパチンコ遊技機を提供する。【構成】遊技領域（３）内に入賞域（１２）を設定し、該遊技領域若しくは入賞域内に設ける打球受口（１４）に打球（Ｐ）が飛入したとき、前記入賞域の背後に設置する打球の移送装置（１３）によって予め設定する条件に従って前記入賞域内に設ける放出口（１５，１６）若しくは放出兼飛込み口（１７）に移送して再び遊技盤前面に放出し、戻す一方、前記放出兼飛込み口（１７）を通して打球を受入れ、これを入賞球（Ｐ）とすることができるパチンコ遊技機とする。【選択図】図１
2009178311.tif 000002
【特許請求の範囲】
【請求項１】
遊技盤の遊技領域内に入賞域を区画設定し、遊技領域若しくは該入賞域内に打球受口を設けると共に、前記入賞域内には複数個の飛入球の放出口と放出兼飛込み口を開設する一方、前記遊技領域の背後には前記入賞域を囲んで上下、左右にそれぞれ並行するガイドを付設し、それぞれのガイドに摺動体を摺動自由に滑合すると共に、上下、左右の摺動体間に縦軸及び横軸を渡架して前記入賞域の背後において縦横直交状に配置し、該縦、横軸の交差部に球受部を備える移動体を滑合させて前記ガイドに沿って移動する上下、左右の摺動体の移動に伴う縦、横軸の上下、左右の移動、及びこの移動に伴う前記交差部の上下、左右方向の移動に伴わせて前記移動体を前記打球受口から前記いずれかの放出口乃至放出兼飛込み口の間を移動させ、これらの放出口から前記打球受口に受けた打球を再び前記入賞域の前面側に放出し、入賞域若しくは遊技領域に設ける入賞口に対する入賞の機会を与える一方、前記入賞域の前面に沿って落下する打球を前記放出兼飛込み口を通して受入れを可能にしてその入賞球を前記入賞域の背後の入賞球受けに受け入れるようにしてなることを特徴としたパチンコ遊技機。
【請求項２】
遊技領域内における遊技盤の一部を切欠いて窓を開設し、該窓の内部に板を嵌め込み固定することにより入賞域を形成することを特徴とした請求項１に記載のパチンコ遊技機。
【請求項３】
入賞域内に開設される放出口の少なくとも１つは打球受口の設置位置より上方に開設することを特徴とした請求項１又は２に記載のパチンコ遊技機。
【請求項４】
入賞域内に開設される放出口の少なくとも１つの放出口には直下に放出球を受ける入賞口を設置することを特徴とした請求項１乃至３に記載のパチンコ遊技機。
【請求項５】
入賞域内に開設される放出兼飛込み口の前面下部には打球を飛込み誘導する障害物を設けることを特徴とした請求項１乃至４のいずれかに記載のパチンコ遊技機。
【請求項６】
放出兼飛込み口は複数個であることを特徴とした請求項１乃至５のいずれかに記載のパチンコ遊技機。
【請求項７】
入賞球受けは入賞域の背後の下辺の全域を囲んで形成されることを特徴とした請求項１乃至６のいずれかに記載のパチンコ遊技機。
【発明の詳細な説明】
【技術分野】
【０００１】
本発明は、パチンコ遊技機、更に詳述すれば遊技盤の一部として入賞装置を一体に備えてなるパチンコ遊技機に関する。
【背景技術】
【０００２】
パチンコ遊技機において、遊技盤前面の遊技領域内に打ち出された打球は、重量によって落下し、落下の途中で障害釘に衝突したり、或は打球を誘導するガイドによって任意に、或は所定の方向に誘導され、振分けられる。
この打球の振分けの原理は、遊技領域内に設置される入賞装置においても全く同じである。遊技領域を落下する過程で入賞装置に受けられた打球は、装置の中に組入れられた振り分け通路等を通ることで更に振り分けられ、或は動力で駆動される振分け装置によって通路を変更する等、様々な流路変更が加えられ、最終的に入賞装置の中で振分けの結果から入賞球の放出数に差を付ける等の処理が行われる。
【０００３】
つまり、パチンコ遊技機においては、動力によって振分けが行われる場合を除いて通常は遊技盤面の中、つまり遊技領域内に打ち出された打球は、この遊技領域内を落下する場合も、また入賞装置に入賞した場合も、球の自重による落下を通して振り分けられるものとなっており、この間、落下した位置から上方に戻ることはなく、常に下方に向けて落下し、その過程において振り分けが行われるものとなっている。
そして、通常入賞装置にあっては動力を使って振り分ける場合においても、従来は、例えば特許文献１に見られるように誘導回転体４０に乗せてその回転に合せて振り分ける場合でも、最大打球が上昇できる領域は、この誘導回転体４０の回転範囲に止り、しかもこの誘導回転体４０自体が設置される空間の中での移動に止まるものであり、その移動の範囲は定形化されたものとなっている。
【特許文献１】特開２００２−１５９６６５号公報。
【発明の開示】
【発明が解決しようとする課題】
【０００４】
本発明は、上述したことからその一つの目的は、遊技領域に打ち出された打球が常に落下することを通して流路を変更し、振り分けられることの単純さと、仮に動力を得て落下する過程で多少の位置の上昇があったとしても、全体的には下方に向けての移動の中でしか振り分けの変化を示すことができない従来のパチンコ遊技機に鑑み、遊技領域内部において、一旦落下した位置から再上昇を果して、再度の落下に挑むことができるパチンコ遊技機、更に言えば遊技領域内において一旦落下した打球を再上昇させる入賞装置を遊技盤の一部として一体に組込んでなるパチンコ遊技機を提案することにある。
【０００５】
更に言えば、本発明における１つの特徴は、遊技盤の一部に入賞装置を組入れ、この入賞装置内に入賞した球の移動を自由にする移送装置を組入れ、この装置により入賞した打球を入賞位置から上昇移動させること、更には下方に向っても、また左右方向にも、斜め上下の方向にも自由に移動送球することを可能にして、移送した位置から、つまり上昇させた場合にはその上昇位置からこの球を遊技盤前面に向けて放球し、再度遊技に復帰させ、或は最終的な入賞球とすることを可能にしたパチンコ遊技機を提供しようとするものである。
【０００６】
また、本発明は上記移送装置に加えて、遊技盤の遊技領域、更に言えば遊技領域内に形成される入賞域内に上記移送装置によって運ばれてくる飛入球を遊技盤の背面側から前面側に放出することを可能にする一方、入賞域の前面に沿って落下する打球を後方に向けて飛込み可能にする放出兼飛込み口を形成し、一つの口を球の放出と飛入の両方に使い分けることができるようにしたパチンコ遊技機を提供することにある。
【課題を解決するための手段】
【０００７】
本発明は上記の目的を達成するため、遊技盤前面の遊技領域内に入賞装置に対応する入賞域を設定し、前記遊技領域若しくは当該入賞域内に打球を受け入れる打球受口を設け、更に前記入賞域内には受け入れた打球を前面に向かって放出する飛入球の放出口、及び飛入球の放出と共に前面側からの打球の飛入を可能にする放出兼飛入み口を複数個開設し、また一方、前記入賞域の背後に前記打球受口において受取った打球を前記それぞれの放出口に移送する移送装置を組込み、打球受口に受けた打球を予め設定する条件に従って前記いずれかの放出口、若しくは放出兼飛入び口に運び、ここから入賞域の前面に放出して遊技領域内の遊技に復帰させ、或るものは放出口の直下に設置する入賞口に、また或るものはそのまま放出し、また前記放出兼飛入み口においては前面側からの飛び込みを可能にしてこれを入賞球とするようにしたパチンコ遊技機を提供しようとするものである。
【０００８】
本発明を更に詳述すれば、その特徴とするところは遊技盤の遊技領域内に入賞域を区画設定し、遊技領域若しくは該入賞域内に打球受口を設けると共に、前記入賞域内には複数個の飛入球の放出口と放出兼飛込み口を開設する一方、前記遊技領域の背後には前記入賞域を囲んで上下、左右にそれぞれ並行するガイドを付設し、それぞれのガイドに摺動体を摺動自由に滑合すると共に、上下、左右の摺動体間に縦軸及び横軸を渡架して前記入賞域の背後において縦横直交状に配置し、該縦、横軸の交差部に球受部を備える移動体を滑合させて前記ガイドに沿って移動する上下、左右の摺動体の移動に伴う縦、横軸の上下、左右の移動、及びこの移動に伴う前記交差部の上下、左右方向の移動に伴わせて前記移動体を前記打球受口から前記いずれかの放出口乃至放出兼飛込み口の間を移動させ、これらの放出口から前記打球受口に受けた打球を再び前記入賞域の前面側に放出し、入賞域若しくは遊技領域に設ける入賞口に対する入賞の機会を与える一方、前記入賞域の前面に沿って落下する打球を前記放出兼飛込み口を通して受入れを可能にしてその入賞球を前記入賞域の背後の入賞球受けに受け入れるようにしてなることを特徴としたパチンコ遊技機を提供することにある。
【０００９】
また本発明は、前記遊技領域内における遊技盤の一部を切欠いて窓を開設し、この窓の内部に蓋板を嵌め込み固定することにより入賞域を形成することを特徴としたパチンコ遊技機を提供しようとするものである。
【００１０】
また本発明は、前記入賞域内に開設される放出口の少なくとも１つは、打球受口の設置位置より上方に開設することを特徴としたパチンコ遊技機を提供することにある。
【００１１】
また本発明は、前記入賞域内に開設される放出口の少なくとも１つの放出口の直下に放出球を受ける入賞口を設置することを特徴としたパチンコ遊技機を提供することにある。
【００１２】
また本発明は、前記入賞域内に開設される放出兼飛込み口の前面下部には打球を飛込み誘導する障害物を設けることを特徴としたパチンコ遊技機を提供することにある。
【００１３】
そしてまた、本発明は前記放出兼飛込み口は複数個であることを特徴としたのパチンコ遊技機を提供することにある。
【００１４】
また更に本発明は、前記入賞球受けは入賞域の背後の下辺の全域を囲んで形成されることを特徴としたパチンコ遊技機を提供することにある。
【００１５】
上記本発明のパチンコ遊技機は、前記遊技領域内に打出され、この遊技領域内若しくは前記入賞域内に設ける打球受口に打球が飛入すると、この球は入賞域の背後に備える移送装置の移動体に設ける球受部に受けられ、予め設定しておく遊技設定に従って前記放出口若しくは放出兼飛込み口に送られる。これより飛入球は入賞域の前面に放出されて再び遊技に復帰することになる。そして、このとき前記放出口の直下に入賞口を有するもの、つまり特定放出口を通して放出される球は、高い入賞の機会に恵まれることになり、それ以外のもの、つまり普通放出口を通した球は単に遊技に復帰するだけになり、その他の遊技領域若しくは入賞域前面に設けられる入賞口への入賞が期待されるに止まることになる。
【００１６】
一方、前記放出兼飛込み口は、飛入球の放出口になる一方、打球の飛込み口ともなるもので、開口幅は相対的に打球の飛込みを誘導するため広口に形成される。この飛込み口を通して飛込んだ打球は遊技盤背面に備える入賞球受けによって集められ、１個づつをカウントして賞球の排出に繋がるものとなる。
【００１７】
ところで、前記入賞域の背後に設置される打球の移送装置は、上下のガイドに渡る縦軸と左右のガイドに渡る横軸との交差部に移動体を滑合させ、これに備える球受部を支持するもので、縦，横軸の左右及び上下の移動に伴って移動する上記交差部の移動に追随して移動する上記移動体によって球受部に受けた打球を予め定める位置、つまり放出口乃至放出飛込み口に移送するものであり、常には移動体を打球受口の背後に待機させ、この打球受口に打球が飛入したとき予め設定する設定条件に従っていずれかの上記放出口、放出飛込み口に移送し、これより入賞域の前面に向けて放出することになる。
【００１８】
この移送装置による飛入した打球の移送は、入賞域の背面の全域に亘って可能にするもので、このため打球受口の位置より高所に設置される放出口に対して移送することが可能になっている。従って、一旦遊技盤の前面を伝わって打球受口まで落下した打球をこの移送装置によって再上昇させ、放出口を通して遊技盤前面に戻し、遊技に再復帰させることができるものとなる。
また、上記打球の移送が入賞域の全域に亘って可能であることから、放出口乃至放出兼飛込み口を同様に全域に亘り設置することが可能であり、極めて変化に富んだ入賞装置とすることができるものとなっている。また、その設置位置、設置個数も入賞域の広さに合わせながら自由に選択することができるものとなっている。
【００１９】
前記放出口に対する入賞口の組み合わせは、この放出口から放出される球に対して入賞条件を有利にするものであるから入賞口との組合せを持たない普通の放出口に対して特定放出口となる。
この特定放出口は、入賞域内に１個でも、複数個設置してもよく、これらのものに取り混ぜて前記普通放出口を適宜分散して設置すると、入賞装置として更に変化のある装置となる。
【００２０】
前記放出兼飛込み口は、移送装置によって運ばれてくる球を入賞域の背面側から前面に向けて放出し、再び遊技に復帰させることに加え、入賞域の前面を落下する打球を受け入れてこれを入賞球とするものである。
この受け入れを容易にするため、この飛込み口は前記放出口より開口幅を広く設定したり、或は飛入を誘導するため、入口の前面下部に特別な障害釘を植設するなどして落下する打球を衝突させ、跳ね上げることにより飛込みを誘導するような処置が講じられることもある。
【発明の効果】
【００２１】
従って、上述の構成から本発明によれば、遊技盤の遊技領域内に形成する入賞域によって遊技盤そのものを入賞装置とすることができると共に、遊技領域若しくは入賞域内に形成する打球受口に受けた打球を入賞域背後に設置する移送装置によって入賞域の全域に移送することが可能であり、そこに形成する放出口乃至放出兼飛込み口を通して再び前面に向けて放出し、新たな入賞の機会を作ることができるため、極めて変化に富んだパチンコ遊技機を提供することができる。
【００２２】
そして、本発明は前記移送装置によって入賞域の背面側にあって上下、左右に自由に飛入した打球を移送することができることから従来遊技者において想像できなかった位置から球の放出を行うことができることになり、下方の打球受口から飛入した打球がそれより上方の放出口から放出され、遊技に再投入される如く復帰することができることから敗者復活の感を遊技者に与えることができ、遊技を一層楽しいものにする。
【００２３】
また本発明は、放出口と入賞口との組合せによって、入賞口と組合せない他の放出口との間に特定放出口と普通放出口の違いを作り、これにより入賞の有利不利を簡単に設定することができることから変化に富んだ入賞装置とすることができると共に、本発明は入賞域に放出専用の口の外、放出と共に打球の飛入を可能にする放出兼飛込み口を併せ設置することから遊技者の予想を超えた遊技を楽しむことができることになる。
次に、本発明を実施の形態を通して更に詳細に説明し、その特徴とするところを明らかにする。
【発明を実施するための最良の形態】
【００２４】
添付の図面は、本発明に係るパチンコ遊技機の一実施形態を示したものである。尚、図面にはパチンコ遊技機の全体を表わしていないが、ここでは本発明の要部となる遊技盤を以て全体の説明をすることにする。
図１は、遊技盤を前面側から見た斜視図である。図２は、図１の遊技盤を背面側から見た斜視図であり、図３は遊技盤の一部を除いて移送装置の取付状態を説明する斜視図、図４は移送装置を前面側から見た斜視図、図５は図４の移送装置のカバーを取り除いた斜視図で、図６は遊技盤の背面に移送装置が取付枠を介して取付く状態を説明するカバーを外した斜視図である。
【００２５】
ここに示す遊技盤１は、所謂分離式パチンコ遊技機における遊技盤である。前面には発射装置からの打球Ｐを誘導する打球誘導路２を形成し、遊技盤の前面中央部を囲んで遊技領域３を形成するバンド４が取付けられている。
上記バンド４の内側に沿って左右に入賞口５，５、６，６が配置してあり、更に装飾用のランプ７，７が設けてある。内側下縁部には開閉する扉８を備えた大入賞口９が、更にその下方にアウト球口１０が開口している。
【００２６】
遊技領域３の中央部は大きく開口する矩形の穴１１が設けられ、この穴１１を遊技盤前面と面一になる同一形状の蓋板が被い、入賞域１２を形成している。そして、穴１１の背後、つまり上記入賞域１２の背後に添って移送装置１３が取付いている。
上記穴１１を塞ぐ蓋板によって形成される入賞域１２は、実質的に遊技領域３の一部を構成するもので、前面部には打球Ｐを受け入れる打球受口１４を備え、更に複数個の放出口１５，１６と放出口を兼用する飛込み口１７，１７を開設する。
【００２７】
入賞域１２を含む遊技領域３の全面には図示しない多数の障害釘が適宜配置され、打球誘導路２を通して打ち出される打球Ｐを左右に振り分けるものとなっており、前記打球受口１４に打球Ｐが飛入すると、この球を背後に向けて貫通する孔を通して入賞域の背面側に誘導し、背面側において待機する移送装置１３の移動体１８の球受部に受け取り、この打球Ｐを図示しない球の振り分け制御手段によって前記上部に配置する上部放出口１５、或は下部の当たりゾーンに配置する下部放出口１６に、或はこの放出口１６を挟んで左右対称に配置する放出兼飛込み口１７，１７に送り届けるものとなっている。
【００２８】
前記移送装置１３は、図５、図６に示したように直交状に交差する縦軸１９と横軸２０を有し、上記縦軸１９を左右方向に往復移動させる上下のガイド、つまり上下のガイド手段２１，２１と、横軸２０を上下方向に往復移動させる左右のガイド手段２２，２２を有し、これら４つのガイド手段２１，２２の組合せによって矩形の枠形を構成して前記穴１１の周囲を背後から囲み、前記縦軸１９と横軸２０を入賞域１２の背面に添わせるようにしている。
【００２９】
次に、これらガイド手段２１，２２を含む移送装置１３について更に詳述することにする。
移送装置１３は、遊技盤１に形成される矩形の穴１１を背面側において４つのガイド手段２１，２２が取り囲むことによって矩形に形成されるが、ここでは上記穴１１の形状に合せてガイド手段２１，２１を上下に、またガイド手段２２，２２を左右に各並行に設置して正方形状に組立てゝいる。
上記各ガイド手段２１，２２は、それぞれカバー２３，２４によって被い、矩形に形成する取付枠２５にこのカバー２３，２４をねじ２６，２６で固定し、移送装置１３を構成し、その上で上記取付枠２５を遊技盤１の背面にねじ２７，２７で止め付けることで一体に組付けるようにしている。
【００３０】
移動装置１３における２組の上下及び左右のガイド手段２１，２１及び２２，２２は、共に上下及び左右のものが対をなしている。これをカバー２３，２４を外した図５と図６に従って説明すると、先ず、上下のガイド手段２１，２１は対称形をなしてそれぞれガイドを構成する並行する２本のガイドバー２８，２８を有し、このガイドバーの両端部を前記カバー２３の端部に支持させ、更にこの両ガイドバー２８，２８の間に摺動体２９を滑合し支持するようにしてある。
【００３１】
ガイドバー２８，２８の両端部にはガイドバー同士の中間位置にプーリー３０，３０を設置してこれに無端のベルト３１を張架し、一方のプーリー３０に設けるギヤ３２を駆動モータ３３の駆動軸に設けるギヤ３４に噛合させ、更に上記ベルト３１に前記摺動体２９をベルト止め３５を介して固定している。
従って、駆動モータ３３が駆動し、プーリー３０，３０が走行すると、これに伴って摺動体２９がガイドバー２８，２８に沿って移動する。そして、駆動モータ３３が正逆に回転を変えると、これに伴ってこの摺動体２９は左右方向に移動方向を変えることになる。
【００３２】
図中、３６は上下のガイド手段２１，２１を同期連動させるための同期軸である。この軸３６は上下において向い合うプーリー３０，３０間に渡り、上方のガイド手段２１におけるプーリ３０ーが駆動モータ３３によって回転すると、同時に回転し、下方のガイド手段２１のベルト３１を走行させ、下方の摺動体２９を前記上方の摺動体２９と同一方向に移動させることになる。
そして、この上下において同一方向に移動することになる上下の摺動体２９，２９間に渡る前記縦軸１９がこの摺動体２９，２９の左右方向の移動に伴って縦（図面において上下の方向）の姿勢を維持した状態で移動することになる。
【００３３】
図中、３７は駆動モータ３３の駆動によって運行されるベルト３１に従って左右方向に移動することになる摺動体２９の位置、つまりは上下の摺動体２９，２９間に渡って共に左右に移動する縦軸１９の移動位置を回転によって電気信号に変換し、図示しない飛入球の振り分けのための遊技制御回路に絶対位置信号として発信するポテンションメータである。このポテンションメータは、前記駆動モータ３３のギヤ３４に回転ギヤ３８を噛合させることで同時回転するようにしてある。
【００３４】
この様に、上記縦軸１９を左右方向にガイドする上下のガイド手段２１，２１は、摺動体２９の駆動源となる駆動モータ３３，ポテンションメータ３７を除いて並行するガイドバー２８，２８、プーリー３０，３０、プーリー間に張架した無端のベルト３１,ベルト３１によってガイドバー２８に沿って走行する摺動体２９、等の機構部品を全て共通に保有しており、上下において対称形をなすように設備されている。そして、この上下のガイド手段２１，２１は前記同期軸３６によって連動し、上下の摺動体２９，２９を同時に摺動させることによって１本の縦軸１９を常時垂直に起立した姿勢を保持して左右方向に自在に移動させることができる。
【００３５】
一方、左右に設備される縦のガイド手段２２，２２もカバー２４，２４に被われる内部には前記上下のガイド手段２１，２１と同様のガイドを構成する機構部品を組込み構成されている。
つまり、左右のガイド手段２２，２２はそれぞれ縦に揃えた並行する２本のガイドバー３９，３９をカバー２４に両端部を固定して備え、このガイドバー３９，３９に摺動体４０を摺動自由に滑合支持し、ガイドバー３９，３９の両端部の間にそれぞれプーリー４１，４１を回転自由に軸承して、このプーリー間にベルト４２を張架し、前記摺動体４０のベルト止め４３を介してこのベルト４２と連結し、ベルトの走行により摺動体４０を前記ガイドバー３９に沿って上下方向に移動できるように構成されている。
そして、上部において向い合せになる上部のプーリー４１，４１間に同期軸４４を渡して左右のガイド手段２１，２１が同時連動するようにしている。
【００３６】
ここでも同じように遊技盤１の前面側から見て右方のガイド手段２１（図５，６を参照）に駆動のモータ４５を配置し、ギヤ４６，４７を介して上部のプーリー４１を回転させ、前記ベルト４２を運行すると同時に、同期軸４４によって左方のガイド手段２２のベルト４２を運行できるようにしてある。そして更に、この右方のガイド手段２１にギヤ４８によってモータ４５の回転を受けるポテンションメータ４９を設備し、摺動体４０，４０の移動によって上下に移動する横軸２０の移動位置を電気信号として前記図示しない遊技制御回路に発信するようにしている。
【００３７】
ところで、上下のガイド手段２１，２１に備えられる摺動体２９，２９間に渡り、縦方向（垂直方向）に支持される縦軸１９と、左右のガイド手段２２，２２の摺動体４０，４０間に渡って横方向（水平方向）に支持される横軸２０とは直接接触しないように同一平面上に位置するのを避けて前後に位相させてある。ここでは、横軸２０が前に、縦軸１９が後に位置して互いに上下、左右のガイド手段２１，２２に囲まれる矩形の枠形の空間内で直交状に交差した状態で支持されている。
【００３８】
そして、上方のガイド手段２１と右方のガイド手段２２にそれぞれ備えるモータ３３，４５の駆動を受けて縦軸１９は左右方向に、つまりＸ軸方向に移動し、また横軸２０は上下方向に、つまりＹ軸方向に移動して両軸の交点、つまり交差部５０を上下、左右に移動し、この交差部５０に滑合支持する前記移動体１８をこの交差部５０の移動に追随させるようにしてある。
【００３９】
図７乃至図１３は上記移動体１８の構造と、上下、左右方向に交差する縦軸１９と横軸２０との関係を示した拡大斜視図である。次に、これらの図面に従って説明することにする。
移動体１８は、前方に向けて１個のパチンコ球Ｐを受け取ることができる受部５１を備える本体部５２と、この本体部５２の背後にあって縦軸１９に滑合する縦のスライダ５３と横軸２０に滑合する横のスライダ５４とからなる滑合体５５によって構成されている。
【００４０】
上記本体部５２は、短尺な円柱形に形成してあり、前面部に球受凹部５７を形成した受部５１を突設し、球受凹部５７に１個のパチンコ球Ｐを受け取ることができるようにしてある。
【００４１】
図１０から図１４は、前記球受部１８の滑合体５５の構造を説明する斜視図であり、これらに基づいて説明すると、縦及び横のスライダ５３，５４はここでは共に断面コ字形の金属枠によって形成してあり、それぞれの枠の内部に両端部の近くにそれぞれ滑合部となる一対の回転ローラー５８を備えている。
上記回転ローラー５８は周面に溝を備えた溝付きのローラーになっており、各スライダ５３,５４に植設する滑合軸５９によって支持される。
【００４２】
滑合軸５９は、スライダ５３，５４の両端部の内側に設ける軸孔６０に軸端５９ａを圧入して固着し、立ち上げた状態で回転ローラー５８を回転自由に軸承するようにしてある。
【００４３】
図中、６１，６２は上記縦横のスライダ５３，５４と組合って双方のスライダ同士を連結する連結部材である。この２つの連結部材６１，６２は同一形状に形成してあり、ここではスライダの背中を跨ぐようにコの字形に形成して両端部から鍔６１ａ，６２ａをそれぞれ延設し、この鍔６１ａ，６２ａに前記滑合軸５９の他方の軸端５９ａを受ける軸孔６３を形成する。
【００４４】
上記連結部材６１，６２は、スライダ５３，５４を跨ぐコ字形部分の内幅をスライダの横幅より広く形成し、このスライダを跨いだとき、両者の間に所要の空隙ｗが形成されるようにしてある。そして、この連結部材６１，６２は両端の鍔６１ａ，６１ａ，６２ａ，６２ａを含む全長をスライダ５３，５４の長さに合せて形成し、スライダと向き合わせたときスライダの端部と両端の鍔とが一致するようにして前記スライダに植設した滑合軸５９の他方の軸端５９ａをこの鍔６１ａ，６２ａに形成する前記軸孔６３に受け入れ固着できるようにしてある。
【００４５】
図１１，１２は、横スライダ５４を跨ぐ連結部材６２に対して縦スライダ６１に組付ける滑合部たる回転ローラー５８を鍔６２ａに対して先付けし、この状態で縦スライダ６１と組合せることで回転ローラー５８を組込むものとして示してある。尚、ここに示す図面は連結部材６２を正面と背面側から表した斜視図である。この図面には、組立の手順よりも構造を明らかにするため部分相互の関係を優先して示している。図１３以下の図面もこれに従うものである。
【００４６】
さて、図１２において、背後方向から見た連結部材６２には鍔６２ａに穿つ軸孔６３に滑合軸５９の軸端５９ａを圧入して立ち上げ、次にこの軸５９に回転ローラー５８を嵌めて回転自由に軸承させる。この回転ローラー５８の軸承は両端の鍔６２ａ，６２ａに２本づつ立ち上げる滑合軸５９について行うことになる。
【００４７】
図１２は、４つの回転ローラー５８を組付けた連結部材６２を移動体１８の本体部５２に組付ける場合を示したものである。連結部材６２に穿つ透孔６４を通して皿ねじ６５を本体部５２の背面に形成するねじ孔６６にねじ込むことによって両体の結合が行われる。
図１０は、上記連結部材６２と本体部５２との結合を示す斜視図である。尚、図中６７は連結部材６２と横スライダ５４とを回転可能な状態に連結する支軸である。
【００４８】
次に、図１３は前記縦スライダ５３を跨ぐもう一方の連結部材６１を示すものであり、この場合においても当該連結部材の両端の鍔６１ａ，６１ａにはそれぞれ滑合軸５９が植設され、それぞれの軸に回転ローラー５８が回転自由に軸承される。そして、この図面には回転ローラー５８を組付けた連結部材６１に対し、縦のスライダ５３を結合する状態が示されている。
連結部材６１のコの字形の凹部に向けてスライダ５３の背中を臨ませ、これに嵌め入れ、次にこのスライダ５３の背中の中央部に開設する連結穴６８に連結部材６１の凹部の中心部に植設する支軸６７を通し、回転自由に連結する。
【００４９】
この連結において縦スライダ５３の横幅を連結部財６１の凹部の内幅より小さくして両者の間に間隙ｗを設け、前記支軸６７を支点にして縦スライダ５３が回転可能に結合されることは、前記連結部材６２と横スライダ５４との関係と全く同じである。
そして更に、この図１３には、連結部材６１に縦のスライダ５３を組入れ、支軸６７を連結穴６８に回転自由に軸着して結合させた後、その前面から横スライダ５４を臨ませた姿が示されている。この横スライダ５４を縦スライダ５３と交差するように合せ、連結部材６１に向き合わせた状態が図１０に示される。
【００５０】
この連結部材６１と横のスライダ５４の向き合わせにおいて連結部材６１の鍔６１ａ，６１ａに２つづつ軸着する回転ローラー５８の各滑合軸５９の軸端５９ａを横スライダ５４の両端に設ける軸孔６０に各圧入して両者間に挟み込み、横スライダ５４に４つの滑合体を組込むことになる。
その一方、上記横スライダ５４の背面側から前記本体部５２を固定した連結部材６２を臨ませ、この連結部材に植設した支軸６７を横スライダ５４の連結穴６８に回転自由に軸着してこの両者を結合すると共に、この連結部材６２の両鍔６２ａ，６２ａに２つづつ設けた前記回転ローラー５８の各滑合軸５９の軸端５９ａを縦スライダ５３に設ける軸孔６０に圧入して同じく縦スライダ５３の両端に２つづつの滑合部たる回転ローラー５８を組込むことになるのである。
【００５１】
図１４は、この様にして組込みを完成した滑合体５５を示す斜視図であり、縦のスライダ５３は横のスライダ５４を跨ぐ連結部材６２と組合うことで両端部に２個づつの回転ローラー５８を備えることになり、また横のスライダ５４は縦のスライダ５３を跨ぐ連結部材６１と組合うことで両端部に２個づつの回転ローラー５８を備えることになる。そして、両スライダ５３，５４は共に連結部材６１，６２と組合って対象の形を形成することになる（図７を参照）。
【００５２】
そして更に、この両スライダ５３，５４は、それぞれを跨ぐ連結部材６１、６２と支軸６７、６７を介して回動自由に軸着連結されることからこの両軸を支点に連結部材６１，６２とのそれぞれの間隙ｗを利用して僅かではあるが充分な回転が可能になり、直交状に連結した向きの角度を変えることができるものとなっている。尚、上記スライダ５３，５４と連結部材６１，６２とを連結するそれぞれの支軸６７、６７は共に各スライダ５３，５４の中央部を貫くことによって同一軸心上に位置すると共に後述するように前記縦横の軸１９，２０の交点を通る直線上に位置することになる。
【００５３】
この様にして構成された滑合体５５には縦のスライダ５３に対して縦軸１９が通され、横のスライダ５４に対して横軸２０が通される。
【００５４】
図１４は、それぞれのスライダに対する縦軸１９と横軸２０の滑合関係を図示したものであり、縦軸１９は縦のスライダ５３の両端に備える２個づつの回転ローラー５８，５８間を貫いて２箇所で滑合支持され、また横軸２０も同様に横スライダ５４の両端に備える回転ローラー５８，５８間を貫くことで２箇所で滑合支持されるものとなる。
そして、この縦軸１９と横軸２０は両スライダ５３，５４を通過する中で交差し、その交点、つまり交差部５０を前記スライダ５３，５４の支軸６７，６７の軸心に一致させることになる。
【００５５】
尚、図１４は、滑合体５５から横スライダ５４と連結部材６２を取り除き、縦、横の軸１９，２０と滑合部たる回転ローラー５８との関係を明らかにしたものであるが、ここに示されるように、縦軸１９は前記交差部５０を間にして対向状に位置する縦スライダ５３の両端に備える２個づつの回転ローラー５８，５８によって２点支持され、また同様に横軸２０も交差部５０を間にして２組の回転ローラー５８，５８によって(ここでは、横スライダ５４に代って連結部材６２に支持された回転ローラーが示されている。)２点支持されることになり、安定的に滑合することになる。  
【００５６】
さて、図７及び図８は、球受部１８となる滑合体５５と縦横の軸１９，２０との組合を完成した状態の斜視図を示したものであり、次に打球Ｐの移送を通してパチンコ遊技機の入賞装置の一手段となっていることに併せて更に説明することにする。
【００５７】
図１５から図１９は、遊技領域３の中央部に設定される入賞域１２の前面に設置される打球受口１４に飛入したとき、この飛入球Ｐが次にどの様に操作されるかを順を追って説明したそれぞれの斜視図である。
【００５８】
入賞域１２は、前述したように遊技領域３に開設する矩形の穴１１を前面側から塞ぐ蓋板によって遊技盤１と一体をなすように形成してあり、上記蓋板を４隅に揉み込む止めねじ６９によって固定し、その前面を遊技盤１の前面に一致させてある。そして、図示しないが前面部の適宜の位置に障害釘を植設配置し、打球の流れを左右に振り分け、誘導するものとしており、この障害釘に誘導される打球Ｐが打球受口１４に飛入したとき、移送装置１３が作動を開始する。
【００５９】
打球受口１４には図示しない検出用の近接スイッチが内蔵される。打球Ｐが飛入すると、これを検出して図示しない遊技制御回路に打球到着信号を発信し、この制御回路に組込む抽選回路を起動して入賞域１２内に開設する放出口１５，１６、そして放出兼飛込み口１７のいずれに転送すべきかの抽選に入り、その結果により、決定した放出口に上記飛入球Ｐを送り届けることになる。
【００６０】
打球受口１４は、上方に向けて開口部を有するポケット型に形成してあり、飛入した打球Ｐは前記近接スイッチを作動させると共に入賞域１２の蓋板を貫通する穴通路を通して背面側に抜け出し、この穴通路に後方から臨む移送装置１３の移動体１８の球受凹部５７に転入する。
【００６１】
図１５は、正に上述した打球受口１４の背後に移動体１８が臨んでいる状態を示すものである。移送装置１３の縦，横の軸１９，２０はこの受口１４の真後に交点、即ち交差部５０を置くことになる。
打球受口１４に打球が飛入することによって前記抽選が開始され、抽選の結果が確定すると、この確定に従って予め設定するプログラムにより前記縦軸１９を駆動するモータ３３が作動し、この縦軸１９を左右方向に移動させて所定の位置に移し、また一方、前記横軸２０を駆動するモータ４５を作動して横軸２０を上下に移動させ所定の位置に移し、この両軸１９，２０の移動の合成によって交点５０を予め定める位置に移動させ、これにより移動体１８を所定の位置に移すことになる。
【００６２】
図１６は、入賞口７０の直上に開口する放出口１６に遊技制御回路の指示に従って飛入球Ｐを受け取った移動体１８を臨ませた状態を示したものである。
移動体１８の打球受口１４からこの放出口１６までの移動経路は、前記縦，横軸１９，２０の移動順序によって異なることになるが、遊技盤面において左方に位置する受口１４から中央部下方にある放出口１６に異動するには、始めに縦軸１９を右方に移動させ、中央部まで達した時点で、次に横軸２０を下降させ、放出口１６の背後に送り届ける経路、つまり直線的に直角に交差部５０を移動させて送り届けるものと、縦軸１９と横軸２０の移動順序を逆にして交差部５０を下降させたのち、右方に移動させて放出口１６の背後に至るようにする場合があり、更にこの両軸１９，２０を同時に移動させて受口１４から直接放出口１６に向けて直線的に、又場合によっては曲線的に移動させる場合がある。
【００６３】
これらの移動経路の違いは、全て縦，横軸１９，２０の移動順序によって起るもので、制御回路のプログラムによって自由に移動経路を設定することができる。
尚、この実施形態では入賞域１２を形成する蓋板が不透明な合成樹脂板にしてあることから、この蓋板の背面側で実行される縦，横軸１９，２０の移動、そしてその交差部５０の移動は前方から視認できないものとなるが、この蓋板を透明板とした場合にはこれらの移動が視認できるものとなるため、この移動時の変化、そしてこの変化に伴う飛入球Ｐの移送状態、更には遊技者において移送先を予想すること等を楽しむことができることになる。
【００６４】
さて、放出口１６に運ばれた飛入球Ｐはこの排出口を通して前方に送り出され、ここでは放出口前面の下方に開口する入賞口７０に放出され入賞の機会に恵まれることになる。つまり、この実施形態においては、放出口１６は「当りゾーン」となっており、極めて入賞確率の高い放出口となっているのである。
【００６５】
尚、前記打球受口１４を通して移動体１８の受部５１に受け入れられた飛入球Ｐは、前傾斜に形成される球受凹部５７に入って常時前方に向けて転り出る状態で受けられるものとしてあり、従って受口１４から放出口１５、１６向けて移動する過程では飛入球Ｐは蓋板の背面に接触して前方への転り出しを防止されながら各放出口まで移動し、放出口に達した時点で障害物（蓋板）を失うことによってこの放出口を通して前方に転り出るものとなる。
【００６６】
次に、図１７は、前記打球受口１４の位置より高い位置の放出口１５に飛入球Ｐを持ち上げ、放出するようにした場合を示したものである。
この飛入球Ｐの上昇は、移送装置１３の縦，横軸１９，２０の上下，左右方向の移動により移動体１８が上昇することに伴って行われることになる。この場合、放出位置が球の受け取り位置、つまり打球受口１４より高い位置となるため放出口１５から放出された飛入球Ｐは再入賞のチャンスを含め、入賞のチャンスを拡大することになり、遊技者の期待感を高めることになる。
【００６７】
図１８及び図１９は、移動体１８に受け取った飛入球Ｐを中央部の放出口１６に対して左右に位置をずらして設置した放出兼飛込み口１７に移送する場合を示したものである。
この移送は入賞口に直接関りをもたない放出口１７に飛入球Ｐを運ぶことから「外れゾーン」に運ぶものとなる。従って、入賞の機会は少なく、ここでは遊技領域３の最下部に設置される入賞口５乃至６に入賞することのみが期待されるものとなる。
【００６８】
ところで、この放出兼飛込み口１７は、図示するように打球の飛込みに備えて左右に広く開口させてあり、この開口部の下縁部前面には打球を受けて飛込みを誘導する２本の釘７１，７１が植設してある。
この放出兼飛込み口１７は、ここから放出される球は入賞のチャンスが少なくなっているが、同時に打球の飛入を受け、これを入賞球とすることによってバランスを取るようにしている。
【００６９】
上記放出兼飛込み口１７を通して飛入した打球Ｐは、蓋板の背面に沿って落下し、入賞域１２の背面部下部に形成する入賞球受け７２に受けて入賞通路７３に通し、入賞を検出させて後図示しない賞球装置を作動して賞球を放出することになる。
【００７０】
尚、ここでは放出兼飛込み口１７を入賞域１２の下辺近くに左右に分けて２個配置しているが、これは上部放出口１５から放出された球の再入賞のチャンスを高めるためであって、これらの配置、或は配置数、更には飛込み口の形状や大きさなどは設計者に自由に委ねられるものである。
【００７１】
以上説明したように、本発明のパチンコ遊技機によれば、遊技領域乃至入賞域に設ける打球受け口１４に飛入した打球Ｐを移送装置１３における縦，横軸１９、２０の上下、左右の移動によって移動体１８を入賞域１２の全域亘って移動させ、ここに形成する放出口１５，１６乃至放出兼飛込み口１７に届けることを可能にしたことから一旦受け入れた打球を任意の位置から放出することができる。従って、従来にない変化のある入賞装置を内蔵したパチンコ遊技機を提供することができる。
【００７２】
しかも、本発明においては上記移送装置の組込みによって打球受口１４に飛入した打球を放出口１５，１６，１７を通して再び遊技盤面に戻すことができる一方、放出兼飛び込み口１７にあっては放出に併せて打球の飛入を可能にして入賞球とすることが可能であることから遊技者は従来全く目にすることが無かった遊技を楽しむことができることになる。
【図面の簡単な説明】
【００７３】
【図１】本発明に係るパチンコ遊技機の使用状態を説明する遊技盤の斜視図。
【図２】図１の背面側から見た斜視図。
【図３】遊技盤の遊技領域から入賞域を形成する蓋板を外した状態の斜視図。
【図４】移送装置の斜視図。
【図５】移送装置を被うカバーを取り除いた状態の斜視図。
【図６】移送装置のカバーを外した状態の遊技盤の斜視図。
【図７】移送装置の縦，横軸と、その交差部に滑合する移動体の関係を説明する拡大斜視図。
【図８】図７の背面側から見た拡大斜視図。
【図９】移動体の斜視図。
【図１０】移動体の分解斜視図。
【図１１】移動体の分解斜視図。
【図１２】移動体の分解斜視図。
【図１３】横スライダと縦スライダの関係及び縦スライダを跨ぐ連結部材との関係を説明する斜視図。
【図１４】縦、横軸と縦スライダ及びその連結部材との関係を説明する斜視図。
【図１５】移動装置の移動形態を説明する斜視図。
【図１６】移動装置の移動形態を説明する斜視図。
【図１７】移動装置の移動形態を説明する斜視図。
【図１８】移動装置の移動形態を説明する斜視図。
【図１９】移動装置の移動形態を説明する断面斜視図。
【図２０】放出兼飛込み口に打球が飛入する状態を説明する斜視図である。
【符号の説明】
【００７４】
１            遊技盤
３            遊技領域
５，６，７０    入賞口
１１          遊技盤に開設した穴
１２          入賞域
１３          移送装置
１４          打球受口
１５，１６    放出口
１７          放出兼飛込み口
１８          移動体
１９          縦軸
２０          横軸
２１          ガイドたる上下のガイド手段
２２          ガイドたる左右のガイド手段
２３          上下のカバー
２４          左右のカバー
２８，３９    ガイドバー
２９，４０    摺動体
３０，４１    プーリー
３１，４２    ベルト
３２，４６    ギヤ
３３，４５    モータ
３６，４４    同期軸
５０          縦軸と横軸の交差部
５１          球受部の受部
５２          球受部の本体部
５３          縦スライダ  
５４          横スライダ
５５          滑合体
５７          球受凹部
５８          回転ローラー
５９          滑合軸
５９ａ        滑合軸の軸端
６０          軸孔
６１，６２    連結部材
６１ａ，６２ａ    連結部材の鍔
６７          縦、横のスライダと連結部材とを連結する支軸
７１          放出兼飛込み口への打球誘導釘
７２          入賞球受け
【図１】
2009178311.tif 000003
【図２】
2009178311.tif 000004
【図３】
2009178311.tif 000005
【図４】
2009178311.tif 000006
【図５】
2009178311.tif 000007
【図６】
2009178311.tif 000008
【図７】
2009178311.tif 000009
【図８】
2009178311.tif 000010
【図９】
2009178311.tif 000011
【図１０】
2009178311.tif 000012
【図１１】
2009178311.tif 000013
【図１２】
2009178311.tif 000014
【図１３】
2009178311.tif 000015
【図１４】
2009178311.tif 000016
【図１５】
2009178311.tif 000017
【図１６】
2009178311.tif 000018
【図１７】
2009178311.tif 000019
【図１８】
2009178311.tif 000020
【図１９】
2009178311.tif 000021
【図２０】
2009178311.tif 000022